(57)【要約】【課題】音声認識処理によって多量に出力される文字情報を、短時間で、よりわかりやすい情報に修正して提供する。【解決手段】音声認識処理によって得られる音声の文章化表現データである文字列情報が入力されるデータ処理装置が、入力される文字列情報で示される文章に対し、表記レベルでの誤りの可能性のある単語を補正した補正文章を生成する表記レベル補正手段と、前記表記レベル補正手段によって生成された補正文章を、各読み手用端末および各オペレータ用端末の画面に表示させる補正文章表示手段と、オペレータ用端末から、オペレータの操作による表示中の文章に対する修正指示を受け付ける修正指示受け付け手段と、各読み手用端末および各オペレータ用端末の画面に、前記修正指示受け付け手段が受け付けた修正指示による修正を、修正個所を特定可能に反映させる画面更新手段とを備える。【選択図】図１
2009187349.tif 000002
【特許請求の範囲】
【請求項１】
音声認識処理によって得られる音声の文章化表現データである文字列情報で示される文章を、読み手が理解しやすい文章にして提示するための文章修正支援システムであって、
音声の文章化表現データである文字列情報が入力されるデータ処理装置と、読み手が使用する１台以上の読み手用端末と、オペレータが使用する１台以上のオペレータ用端末とを備え、
前記データ処理装置は、
入力される文字列情報で示される文章に対し、表記レベルでの誤りの可能性のある単語を補正した補正文章を生成する表記レベル補正手段と、
前記表記レベル補正手段によって生成された補正文章を、各読み手用端末および各オペレータ用端末の画面に表示させる補正文章表示手段と、
オペレータ用端末から、オペレータの操作による表示中の文章に対する修正指示を受け付ける修正指示受け付け手段と、
各読み手用端末および各オペレータ用端末の画面に、前記修正指示受け付け手段が受け付けた修正指示による修正を、修正個所を特定可能に反映させる画面更新手段とを備えた
ことを特徴とする文章修正支援システム。
【請求項２】
補正文章を予め定められた表示モードに応じて加工した加工文章を生成する文章加工手段と、
表示中の補正文章と対応づけて、各読み手が使用している読み手用端末の画面に、該読み手に対し設定されている表示モードに即した加工文章を表示させるとともに、オペレータ用端末の画面に、少なくとも読み手用端末に表示させた表示モードに即した加工文章を表示させる加工文章表示手段とを備え、
修正指示受け付け手段は、オペレータ用端末から、オペレータの操作による前記加工文章に対する修正指示を受け付け、
画面更新手段は、各読み手用端末および各オペレータ用端末の画面に、前記修正指示受け付け手段が受け付けた前記加工文章に対する修正指示による修正を、修正箇所を特定可能に反映させる
請求項１に記載の文章修正支援システム。
【請求項３】
表記レベル補正手段は、文字列情報で示される文章に含まれる各単語について、予め登録されている単語辞書との照合を行い、単語辞書に登録されていない場合に、当該単語に表記レベルでの誤りの可能性があるとして、当該単語をひらがなに変換することによって補正文章を生成する
請求項１または請求項２に記載の文章修正支援システム。
【請求項４】
表記レベル補正手段は、文字列情報で示される文章に含まれる各単語について、予め登録されている単語辞書との照合を行い、単語辞書におなじ読みをもつ異なる表記の単語が登録されている場合に、当該単語に表記レベルでの誤りの可能性があるとして、当該単語をひらがなに変換することによって補正文書を生成する
請求項１から請求項３のうちのいずれか１項に記載の文章修正支援システム。
【請求項５】
読み手用端末から、読み手の操作による表示モードの切り替え指示を受け付けるモード設定手段を備え、
加工文章表示手段は、前記モード設定手段が表示モードの切り替え指示を受け付けると、少なくとも要求元の読み手用端末に、該読み手に対し設定されている表示モードに即した加工文章を表示させる
請求項２から請求項４のうちのいずれか１項に記載の文章修正支援システム。
【請求項６】
表示モードとして、発声内容とほぼ同一の内容を提示する詳細モードと、発声内容から冗長さを排除した字幕モードと、発声内容の要点を箇条書きで提示する簡易モードとを備える
請求項２から請求項５のうちのいずれか１項に記載の文章修正支援システム。
【請求項７】
音声認識処理によって得られる音声の文章化表現データである文字列情報で示される文章を、読み手が理解しやすい文章にして提示するための文章修正支援方法であって、
音声の文章化表現データである文字列情報が入力されるデータ処理装置が、
入力される文字列情報で示される文章に対し、表記レベルでの誤りの可能性のある単語を補正した補正文章を生成し、
生成された補正文章を、各読み手用端末および各オペレータ用端末の画面に表示させ、
オペレータ用端末から、オペレータ操作による表示中の文章に対する修正指示を受け付け、
各読み手用端末および各オペレータ用端末の画面に、オペレータ用端末から受け付けた修正指示による修正を、修正個所を特定可能に反映させる
ことを特徴とする文章修正支援方法。
【請求項８】
補正文章を予め定められた表示モードに応じて加工した加工文章を生成し、
表示中の補正文章と対応づけて、各読み手が使用している読み手用端末の画面に、該読み手に対し設定されている表示モードに即した加工文章を表示させるとともに、オペレータ用端末の画面に、少なくとも読み手用端末に表示させた表示モードに即した加工文章を表示させ、
オペレータ用端末から、オペレータの操作による前記加工文章に対する修正指示を受け付け、
各読み手用端末および各オペレータ用端末の画面に、前記修正指示受け付け手段が受け付けた前記加工文章に対する修正指示による修正を、修正箇所を特定可能に反映させる
請求項７に記載の文章修正支援方法。
【請求項９】
音声認識処理によって得られる音声の文章化表現データである文字列情報で示される文章を、読み手が理解しやすい文章にして提示するための文章修正支援用プログラムであって、
音声の文章化表現データである文字列情報が入力されるデータ処理装置に適用される文章修正支援用プログラムにおいて、
コンピュータに、
入力される文字列情報で示される文章に対し、表記レベルでの誤りの可能性のある単語を補正した補正文章を生成する処理、
生成された補正文章を、各読み手用端末および各オペレータ用端末の画面に表示させる処理、
オペレータ用端末から、オペレータ操作による表示中の文章に対する修正指示を受け付ける処理、および
各読み手用端末および各オペレータ用端末の画面に、オペレータ用端末から受け付けた修正指示による修正を、修正個所を特定可能に反映させる処理
を実行させるための文章修正支援用プログラム。
【請求項１０】
コンピュータに、
補正文章を予め定められた表示モードに応じて加工した第２次文章を生成する処理、
表示中の補正文章と対応づけて、各読み手が使用している読み手用端末の画面に、該読み手に対し設定されている表示モードに即した加工文章を表示させるとともに、オペレータ用端末の画面に、少なくとも読み手用端末に表示させた表示モードに即した加工文章を表示させる処理、
オペレータ用端末から、オペレータの操作による前記加工文章に対する修正指示を受け付ける処理、および
各読み手用端末および各オペレータ用端末の画面に、前記修正指示受け付け手段が受け付けた前記加工文章に対する修正指示による修正を、修正箇所を特定可能に反映させる処理を実行させる
請求項９に記載の文章修正支援用プログラム。
【発明の詳細な説明】
【技術分野】
【０００１】
本発明は、音声認識処理によって得られる音声の文章化表現データである文字列情報で示される文章の修正を読み手が理解しやすい文章にして提示するための文章修正支援システム、文章修正支援方法、および文章修正支援用プログラムに関する。
【背景技術】
【０００２】
会議で交わされる音声や、ラジオやテレビ等の媒体から発せられる音声による情報を文字列で提供する音声認識の実施方法として、例えば、マイクロフォン等を介して入力される音声情報を解析して、その結果をエディタ画面等に出力する方法がある。これにより、音声による情報の獲得が困難な聴覚障害者や高齢者、日本語習得途上の外国人に対し、より正確な情報を提供することができる。
【０００３】
ところで、コンピュータの音声データ処理において、音声によるコミュニケーションが短時間に多くの言葉が発せられることや周りの雑音等の障壁が、音声の識別を困難にしている。
【０００４】
このように、様々な原因によって誤認識が生じた文字列を正しい文字列に修正するための技術の一例として、例えば、特許文献１には、オペレータを介在させて修正を行う文字データ修正装置が記載されている。特許文献１に記載されている文字データ修正装置では、番組内容の音声を音声認識によりテキストデータに変換した文字列に対して、不一致箇所選択手段が、オペレータの操作により音声との不一致箇所の選択を行う。そして、選択された不一致箇所の内容に対応した修正を行った修正テキストデータを入力して、元のテキストデータに加えることにより修正付加テキストデータを生成、出力する。
【０００５】
また、例えば、特許文献２には、単語間の意味関係に基づく制約情報を参照して音声認識結果の誤りを修正する音声認識方法が記載されている。特許文献２に記載されている音声認識方法では、単語間の意味関係とその度合いを示す関連度とを記憶しておき、その関連度に基づいて、最も確からしい単語列を選択する。
【０００６】
【特許文献１】特開２００４−１５１６１４号公報
【特許文献２】特開２００７−２５６８３６号公報
【発明の開示】
【発明が解決しようとする課題】
【０００７】
しかし、特許文献１に記載されているような、単純にオペレータを介在させて修正を行う方法では、オペレータが、託される文字列を全て追って不一致箇所を選択しなければならず、長時間文字を追う場合には、そのために生じる文章のゆれが顕著となる。ここで、”ゆれ”とは、同音異義語等、発音としては正しいものの、表記文章としては不適切な表現が含まれる状態をいう。結果、その情報の要点等を把握しずらくなり、リアルタイムでの正しい読解が妨げられてしまう。これでは、例えば、聴覚障害者が音声コミュニケーションの場に参加するために用いようとしても、用をなさない。
【０００８】
また、特許文献２に記載されているような、コンピュータ解析により自動で修正を行う方法では、正確度として低い結果が出る恐れがある。また、コンピュータ解析のみで、話される音声情報を全て解析し、常に正確に出力しようとすれば、解析に要する時間も長くなり、やはりリアルタイムでの正しい読解の妨げとなってしまう。
【０００９】
そこで、本発明は、音声認識処理によって多量に出力される文字情報を、短時間で、よりわかりやすい情報に修正して提供することを目的とする。
【課題を解決するための手段】
【００１０】
本発明による文章修正支援システムは、音声認識処理によって得られる音声の文章化表現データである文字列情報で示される文章を、読み手が理解しやすい文章にして提示するための文章修正支援システムであって、音声の文章化表現データである文字列情報が入力されるデータ処理装置と、読み手が使用する１台以上の読み手用端末と、オペレータが使用する１台以上のオペレータ用端末とを備え、前記データ処理装置は、入力される文字列情報で示される文章に対し、表記レベルでの誤りの可能性のある単語を補正した補正文章を生成する表記レベル補正手段と、前記表記レベル補正手段によって生成された補正文章を、各読み手用端末および各オペレータ用端末の画面に表示させる補正文章表示手段と、オペレータ用端末から、オペレータの操作による表示中の文章に対する修正指示を受け付ける修正指示受け付け手段と、各読み手用端末および各オペレータ用端末の画面に、前記修正指示受け付け手段が受け付けた修正指示による修正を、修正個所を特定可能に反映させる画面更新手段とを備えたことを特徴とする。
【００１１】
また、本発明による文章修正支援方法は、音声認識処理によって得られる音声の文章化表現データである文字列情報で示される文章を、読み手が理解しやすい文章にして提示するための文章修正支援方法であって、音声の文章化表現データである文字列情報が入力されるデータ処理装置が、入力される文字列情報で示される文章に対し、表記レベルでの誤りの可能性のある単語を補正した補正文章を生成し、生成された補正文章を、各読み手用端末および各オペレータ用端末の画面に表示させ、オペレータ用端末から、オペレータの操作による表示中の文章に対する修正指示を受け付け、各読み手用端末および各オペレータ用端末の画面に、オペレータ用端末から受け付けた修正指示による修正を、修正個所を特定可能に反映させることを特徴とする。
【００１２】
また、本発明による文章修正支援用プログラムは、音声認識処理によって得られる音声の文章化表現データである文字列情報で示される文章を、読み手が理解しやすい文章にして提示するための文章修正支援用プログラムであって、音声の文章化表現データである文字列情報が入力されるデータ処理装置に適用される文章修正支援用プログラムにおいて、コンピュータに、入力される文字列情報で示される文章に対し、表記レベルでの誤りの可能性のある単語を補正した補正文章を生成する処理、生成された補正文章を、各読み手用端末および各オペレータ用端末の画面に表示させる処理、オペレータ用端末から、オペレータの操作による表示中の文章に対する修正指示を受け付ける処理、および各読み手用端末および各オペレータ用端末の画面に、オペレータ用端末から受け付けた修正指示による修正を、修正個所を特定可能に反映させる処理を実行させることを特徴とする。
【発明の効果】
【００１３】
本発明によれば、音声認識処理によって多量に出力される文字情報を、短時間で、よりわかりやすい情報に修正して提供することができる。
【発明を実施するための最良の形態】
【００１４】
以下、本発明の実施形態を図面を参照して説明する。図１は、本発明による文章修正支援システムの構成例を示すブロック図である。図１に示す文章修正支援システムは、音声認識処理によって得られる音声の文章化表現データである文字列情報で示される文章を、読み手が理解しやすい文章に修正して提示するための文章修正支援システムであって、音声の文章化表現データである文字列情報が入力されるデータ処理装置１と、読み手が使用する１台以上の読み手用端末２−１と、オペレータが使用する１台以上のオペレータ用端末２−２とを備える。
【００１５】
また、データ処理装置１は、表記レベル補正手段１１と、補正文章表示手段１２と、修正指示受け付け手段１３と、画面更新手段１４とを含む。
【００１６】
表記レベル補正手段１１は、入力される文字列情報で示される文章に対し、表記レベルでの誤りの可能性のある単語を補正した補正文章を生成する。表記レベル補正手段１１は、例えば、文字列情報で示される文章に含まれる各単語について、予め登録されている単語辞書との照合を行い、単語辞書に登録されていない場合に、当該単語に表記レベルでの誤りの可能性があるとして、当該単語をひらがなに変換することによって補正文章を生成してもよい。また、表記レベル補正手段１１は、例えば、文字列情報で示される文章に含まれる各単語について、予め登録されている単語辞書との照合を行い、単語辞書におなじ読みをもつ異なる表記の単語が登録されている場合に、当該単語に表記レベルでの誤りの可能性があるとして、当該単語をひらがなに変換することによって補正文書を生成してもよい。
【００１７】
補正文章表示手段１２は、表記レベル補正手段１１によって生成された補正文章を、各読み手用端末および各オペレータ用端末の画面に表示させる。
【００１８】
修正指示受け付け手段１３は、オペレータ用端末２−２から、オペレータ操作による表示中の文章に対する修正指示を受け付ける。
【００１９】
画面更新手段１４は、各読み手用端末２−１および各オペレータ用端末２−２の画面に、修正指示受け付け手段１３が受け付けた修正指示による修正を、修正個所を特定可能に反映させる。
【００２０】
また、図２は、本発明による文章修正支援システムの他の構成例を示すブロック図である。図２に示すように、データ処理装置１は、さらに、文章加工手段１５と、加工文書表示手段１６と、モード設定手段１７とを含んでいてもよい。
【００２１】
文章加工手段１５は、表記レベル補正手段１１によって生成された補正文章を予め定められた表示モードに応じて加工した加工文章を生成する。
【００２２】
加工文書表示手段１６は、表示中の補正文章と対応づけて、各読み手が使用している読み手用端末２−１の画面に、該読み手に対し設定されている表示モードに即した加工文章を表示させるとともに、オペレータ用端末２−２の画面に、少なくとも読み手用端末に表示させた表示モードに即した加工文章を表示させる。
【００２３】
なお、本例の場合には、修正指示受け付け手段１３は、オペレータ用端末から、オペレータの操作による前記加工文章に対する修正指示を受け付ける。また、画面更新手段１４は、各読み手用端末および各オペレータ用端末の画面に、修正指示受け付け手段１３が受け付けた加工文章に対する修正指示による修正を、修正箇所を特定可能に反映させる。
【００２４】
モード設定手段１７は、読み手用端末２−１から、読み手の操作による表示モードの切り替え指示を受け付ける。モード設定手段１７は、例えば、表示モードとして、発声内容とほぼ同一の内容を提示する詳細モードと、発声内容から冗長さを排除した字幕モードと、発声内容の要点を箇条書きで提示する簡易モードとを用意し、読み手のレベルに応じた切り替えを可能としてもよい。
【００２５】
また、加工文章表示手段１６は、モード設定手段１７が表示モードの切り替え指示を受け付けた場合には、少なくとも要求元の読み手用端末に、該読み手に対し設定されている表示モードに即した加工文章を表示させてもよい。
【００２６】
以下、より具体的な実施形態について説明する。図３は、より具体的な文章修正支援システムの構成例を示すブロック図である。図３に示す文章修正支援システム１０００は、音声認識装置１００と、データ処理装置２００と、１つ以上の文字入出力装置３００とを備える。
【００２７】
音声認識装置１００は、既存の技術によるものであり、音声を入力するマイクロフォン装置やアナログ信号である音声をディジタル信号に変換するアナログデジタルコンバータ装置、音声認識処理を実現するソフトウェア（より具体的には、該ソフトウェアに従って動作するＣＰＵ等のプロセッサ）によって実現される。
【００２８】
なお、本実施形態における音声認識装置１００は、データ処理装置２００に対し、少なくとも入力される音声を文字列に変換して出力する。なお、音声認識装置１００が出力する音声認識結果には、入力音声で表現された言葉を示す文字列だけでなく、その文字列における語句の区切り等の文法情報を含んでいてもよい。
【００２９】
データ処理装置２００は、音声認識装置１００から入力される音声認識結果の文字列を必要に応じて修正しつつ、各文字入出力装置３００に出力するための制御を行う。データ処理装置２００は、認識結果補正手段２１０と、モード設定手段２２０と、文章加工手段２３０と、文章編集手段２４０と、画面制御手段２５０とを含む。
【００３０】
認識結果補正手段２１０は、音声認識装置１００によって得られた文字列情報に対し、誤変換等の表記レベルでの誤りを補正する。なお、認識結果補正手段２１０は、上述の表記レベル補正手段１１の機能を実現する処理手段である。
【００３１】
モード設定手段２２０は、読み手毎に、文章の表示モードを設定する。本実施形態では、文章の表示モードとして、詳細モード，字幕（要約）モード，簡易モードを用意する。詳細モードは、入力音声で表現された文章をそのままの形式で表示するモードである。字幕モードは、入力音声で表現された文章を字幕のように要約した形式で表示するモードである。簡易モードは、入力音声で表現された文章において情報獲得のポイントとなるキーワードを列挙する形式で表示するモードである。モード設定手段２２０は、例えば、読み手からの要求に応じて、該読み手における文章の表示モードを設定する。なお、モード設定手段２２０は、上述のモード設定手段１７の機能を実現する処理手段である。
【００３２】
文章加工手段２３０は、各モードに即した文章の加工を行う。なお、文章加工手段２３０は、上述のモード設定手段１７の機能を実現する処理手段である。
【００３３】
文章編集手段２４０は、文章加工手段２３０が加工した文章に対し、オペレータからの修正操作に応じて編集を実施する。なお、文章編集手段２４０は、上述の修正指示受け付け手段の機能を実現する処理手段である。
【００３４】
画面制御手段２５０は、所定のタイミングで、音声認識結果の文字列から生成される文章を、各文字入出力装置３００に表示させるための処理を行う。なお、画面制御手段２５０が行う処理には、各文字入出力装置３００に、文章編集手段２４０によって編集（修正）された部分の更新を行わせるための処理を含む。本実施形態では、画面制御手段２５０は、認識結果補正手段２１０による補正が完了した時点で各文字入出力装置３００に文章を表示させ、その後、読み手毎に文章の表示モードが設定された際や文章編集手段２４０によって文章の編集が行われた際に、その旨およびその箇所がわかるように再表示させる。なお、画面制御手段２５０は、上述の補正文章表示手段１２、画面更新手段１４、および加工文章表示手段１６の機能を実現する処理手段である。
【００３５】
文字入出力装置３００は、データ処理装置２００で補正、加工、編集された文章を表示したり、その文章に対する操作を入力するための入出力装置である。文字入出力装置３００は、例えば、ディスプレイ装置等の出力装置と、マウスやキーボード等の入力装置とを備えたネットワーク通信機能を有するパーソナルコンピュータ（ＰＣ）によって実現される。実施形態では、２台のＰＣを配置する例を用いて説明する。ここでは、２台のうちの１台でオペレータが文字編集支援を行い、残りの１台で、音声による情報の獲得が困難な利用者（読み手）が修正文章の閲覧を行うものとする。なお、オペレータ用に２台以上配置したり、読み手用に２台以上配置することも可能である。また、文字入出力装置３００を実現するＰＣのＣＰＵの一つが、データ処理装置２００を実現するといった構成も可能である。
【００３６】
次に、本実施形態の動作について説明する。図４は、文章修正支援システム１０００の動作例を示すフローチャートである。なお、図４に示す例では、データ処理装置２００が、一連の文字列情報（例えば、人間が人前で話をするときに、次に一息つくまでの長さ程度に区切った文章についての文字列情報）を単位に、ステップＳ１０〜Ｓ７０の処理を繰り返し行うループ構造となっている。なお、ステップＳ６０，Ｓ７０については、ループ構造から離れ、オペレータからの操作に応じたタイミングで処理するようにしてもよい。
【００３７】
なお、図示省略しているが、まず音声認識装置１００に、人間が発声発語した音声が入力される。音声認識装置１００は、音声認識処理によって入力された音声を、該音声の文章化表現データである文字列情報に変換して、データ処理装置２００に出力する。なお、文字列情報には、音声を文章表記した際の文字列の情報だけでなく、読みや語句の区切りの情報等が含まれるものとする。
【００３８】
データ処理装置２００では、認識結果補正手段２１０が、音声認識装置１００から出力される文字列情報を入力情報として、該文字列情報で示される音声認識装置１００の認識結果である文章を補正する（ステップＳ１０）。なお、認識結果補正手段２１０が補正した文章を示す文字列情報は、加工文章表示のための元データとして文章加工手段２３０に入力される。
【００３９】
認識結果補正手段２１０は、文字列情報で示される文章に対し、誤変換等の表記レベルでの誤りを補正する。なお、表記レベルでの誤りとは、同音異義語のような日本語（単語）としては存在する言葉であるが、表記された文章としては誤りであるものをいう。
【００４０】
本実施例では、認識結果補正手段２１０は、単語辞書を有し、その単語辞書と照合することによって、表記レベルでの誤りを補正する。なお、本実施例では、単語辞書で照合できる範囲での補正を行うのみとし、前後の文脈から判断するような補正は行わない。そのような補正は、文章加工手段２３０で既存の発明を活用したり、オペレータによる修正指示によって補う。
【００４１】
一連の文字列情報に対し、認識結果補正手段２１０による補正が完了すると、画面制御手段２５０は、認識結果補正手段２１０によって得られた補正後の文章を第１次文章として、各文字入出力装置３００の画面に表示させる（ステップＳ２０）。例えば、予め各文字入出力装置３００を当該データ処理装置２００にアクセスさせておき、画面制御手段２５０は、その際ダウンロードさせた端末用アプリケーションソフトウェアに対して、補正後の文章の文字列情報を含む画面更新要求メッセージを送信することによって、各文字入出力装置３００の画面に補正後の文章を表示させてもよい。また、例えば、周期的に自動更新を行う処理を組み込んだＷｅｂページの画面情報を予め用意しておき、各文字入出力装置３００に、そのＷｅｂページにアクセスさせておくことによって、各文字入出力装置３００からの自動更新要求に応じて補正後の文章をそのＷｅｂページに反映（掲載）させることによって、表示させてもよい。
【００４２】
ここでは、その後のモード設定手段２２０や文章編集手段２４０の処理が、読み手やオペレータの介在（操作）を必要とすることにより、情報獲得の面で、数十秒程度のタイムロスを生じる可能性が高いことを考慮して、少しでも早く状況（話されている内容の要点）の把握を可能にさせるために、読み手やオペレータからの操作を待たずに、第一次文章として表示させている。図５は、文字入出力装置３００に表示させる画面の一例を示す説明図である。画面制御手段２５０は、例えば、図５に示すように、第一次文章を画面の上段に表示させ、その後加工された文章や編集された文章を第二次文章として画面の下段に表示させるなど、リアルタイム性を損なわずに、かつ正しい情報の把握がしやすい構成で表示させる。
【００４３】
次に、モード設定手段２２０は、読み手からの要請に応じて、読み手毎に文章表示モードを設定する（ステップＳ３０）。本例では、文章表示モードとして、大まかな情報を提供するレベルの「簡易モード」と、字幕と同様のレベルの「字幕モード」と、認識結果をより洗練化した「詳細モード」を用意し、その三種類から選択可能な構成とする。モード設定手段２２０は、文字入出力装置３００において読み手が指定した文章表示モードをイベントとして受け取り、当該データ処理装置２００で管理（保持）している読み手別文章表示モードを設定したり、その設定を変更したりする。そして、設定されたモードに応じた加工文章を出力するための処理を行う。例えば、文章加工手段２３０に、ある文字入出力装置３００がモードの設定または変更をした旨を通知したりする。
【００４４】
なお、オペレータ用端末として使用される文字入出力装置３００に対しては、モードを複数設定可能としてもよい。例えば、１台のオペレータ用端末で文章の編集を行う場合には、各モードに応じた加工文章をその１台のオペレータ用端末に全て表示させる。なお、詳細モードのみをオペレータにチェックさせ、その詳細モードに対する修正を、他のモードに反映させるといった方法も可能である。
【００４５】
次に、文章加工手段２３０が、モード設定手段２２０によって設定された各読み手のモードに合わせ、文章（ここでは、認識結果補正手段２１０によって補正された文章）を加工する（ステップＳ４０）。「簡易モード」の場合には、例えば、特開２００５−１０７７９３号公報に開示されているキーワード抽出方法を適用して、情報獲得のポイントとなりうるキーワードを列挙する形式で表記される文字列情報を生成してもよい。また、「字幕モード」の場合には、例えば、特開２００７−２３３８２３号公報に開示されている自動要約装置を適用して、字幕のように要約された形式で表記される文字列情報を生成してもよい。また、「詳細モード」の場合には、例えば、特開平１１−１７１０５８号公報に開示されている文章処理装置を適用して、認識結果をさらに正しい日本語として読める程度に洗練化した形式で表記される文字列情報を生成してもよい。
【００４６】
なお、モード設定手段２２０からの通知を待たずに、各モードに応じた加工文章を生成する処理を先行して行い、モード設定手段２２０からの通知がされた際に、画面制御手段２５０に対してその読み手に対して設定されたモードに応じた加工文章を出力するようにしてもよい。また、例えば、予めモードの初期値を設定しておき、読み手からの切り替え要請（イベント）がくるまでは、現在設定されているモードで処理を進めるようにしてもよい。なお、読み手から切り替え要請があった場合には、ステップＳ３０以降の処理を再度行うようにすればよい。
【００４７】
一連の文字列情報に対し、文章加工手段２３０によって、ある読み手が設定したモードに応じた文章の加工が完了すると、画面制御手段２５０は、文章加工手段２３０によって得られたその読み手の文章表示モードに応じた加工後の文章を第２次文章として、該読み手が使用している文字入出力装置３００の画面に表示させる（ステップＳ５０）。なお、第２次文章の画面表示に係る処理は、ステップＳ２０と同様でよい。例えば、画面制御手段２５０は、対象とした文字入出力装置３００にインストールされている端末用アプリケーションソフトウェアに対して、加工後の文章の文字列情報を含む画面更新要求メッセージを送信することによって、該文字入出力装置３００の画面に加工後の文章を追加表示させてもよい。また、例えば、対象とした文字入出力装置３００からのＷｅｂページの画面情報に従って行われる自動更新要求に応じて加工後の文章をそのＷｅｂページに反映（掲載）させることによって、追加表示させてもよい。なお、第２次文章を表示する際には、既に表示中の第１次文章と対応づけて表示させることが好ましい。
【００４８】
次に、文章編集手段２４０が、オペレータ用端末として使用されている文字入出力装置３００からの文章の修正指示を受け付け、その指示に従い、文章を編集する（ステップＳ６０）。文章編集手段２４０は、例えば、オペレータ操作に応じて入力される、表示文章に対する範囲の設定を示す情報を受け付けると、その設定範囲の情報を記憶するとともに、その設定範囲内の文字列に対する修正文字列の入力を行わせるようにしてもよい。そして、入力された設定範囲内の修正文字列の情報を受け取ればよい。文章編集手段２４０は、例えば、オペレータ用端末で表示させる画面情報に、表示文章に対して範囲の設定操作を受け付けて修正文字列を入力させる機能を組み込んでおき、画面操作に応じて必要な情報が当該データ処理装置２００に送信されるようにし、それを受信してもよい。なお、オペレータ用端末に対するステップＳ２０およびステップＳ５０の画面制御処理を文章編集手段２４０が行うようにしてもよい。
【００４９】
また、文章編集手段２４０は、修正が確定した時点で、画面制御手段２５０に対して、修正による文章の編集部分の画面更新を指示する。
【００５０】
画面制御手段２５０は、オペレータからの修正指示により文章編集手段２４０によって編集された箇所がわかるように、各文字入出力装置３００の画面表示を更新させる（ステップＳ７０）。画面制御手段２５０は、例えば、編集箇所に関する情報（例えば、修正後の内容、修正範囲の始点位置、長さ、該当文章の送信カウンタ等）を含む画面更新要求メッセージを送信することによって、各文字入出力装置３００の画面に編集後の文章を、その箇所がわかるように表示させてもよい。なお、送信カウンタは、一連の文章として処理される単位での文章を識別するための情報であって、例えば、ステップＳ２０による文字列情報の送信が行われる度に、該文字列情報を識別するために割り当てられる番号である。各文字入出力装置３００は、データ処理装置２００から送信された送信カウンタを元に、更新をかける対象の加工文章を追跡し、その上で、送信された始点位置と長さで示される範囲の文字列をオペレータによる修正内容に上書きすればよい。その際、他の文字列と区別した表現（他の文字列と異なる色等）を用いる。
【００５１】
また、例えば、画面制御手段２５０は、各文字入出力装置３００で表示しているＷｅｂページの画面情報に従ってなされる自動更新要求に応じて、そのＷｅｂページに、最新の編集後の文章を編集箇所を強調しつつ反映（掲載）させることによって、画面表示を更新させてもよい。
【００５２】
以下、具体的な例を用いて本実施形態の動作を説明する。図６は、文章修正支援システム１０００の実施イメージの一例を示す説明図である。なお、図６に示す例では、音声認識装置１００およびデータ処理装置２００としてマイクロフォンに接続されるサーバを用いる。また、読み手用の文字入出力装置３００（読み手用端末）として、そのサーバとＬＡＮ等のネットワークを介して接続されるＰＣを用いる。また、オペレータ用の文字入出力装置３００（オペレータ用端末）として、そのサーバとネットワークを介して接続されるＰＣを用いる。本例では、音声認識装置１００は、サーバが有する既存の音声ワープロ機能（音声を文字列に変換する機能）をもつソフトウェア（より具体的には、そのソフトウェアに従って動作するＣＰＵ）によって実現されている。また、データ処理装置２００は、サーバが有する文章修正機能（データ処理装置２００の各処理手段の機能）をもつソフトウェアによって実現されている。なお、文章修正機能をもつソフトウェアは、音声ワープロ機能をもつソフトウェアのプラグイン・ソフトウェアとして実装されているものとする。
【００５３】
また、文字入出力装置３００を実現する各ＰＣは、ＴＣＰ／ＩＰ等の通信プロトコルに基づいた通信が可能とする。また、サーバと通信を行って画面表示を更新したり、修正指示を通知したりするクライアントソフトウェアがインストールされていてもよい。なお、特別なクライアントソフトウェアを用意せずに、ブラウザ等の既存のソフトウェアを利用することも可能である。
【００５４】
サーバでは、スピーカから出力される音声の情報がマイクロフォンを介して入力され、音声認識装置１００を実現する音声ワープロ機能をもつソフトウェアが、音声認識処理を行うことにより文字列情報に変換する。変換された文字列情報は、逐次、データ処理装置２００を実現する文章修正機能をもつソフトウェアに入力される。
【００５５】
文字列情報が入力されると、文章修正機能をもつソフトウェアによって実現される認識結果補正手段２１０が、補正処理を行う。ここでは、「すでにつうちぶんなどでごれんらくのとおり、ろくがつよっかげつようびごぜんじゅうじごふんから、にせんななねんどほんしゃびるぼうさいくんれんをじっしいたします。」と発声されたことに対し、「素手に通知文などでご連絡のとうり、６月４日月曜日午前１０時５分から、２００７年度御社ビル防災訓練を実施いたします。」という文章を示す文字列情報が音声認識結果として出力された場合を例に説明する。
【００５６】
図７は、認識結果補正手段２１０の補正処理の一例を示すフローチャートである。認識結果補正手段２１０は、上記音声認識装置１００から出力された文字列情報に含まれる語句一つひとつについて、図７に示すフローチャートに沿って一連の処理を行うことにより、補正後の文章である第１次文章（より具体的には第１次文章を示す文字列情報）を生成する。ここでは、上記音声認識装置１００から出力された文字列情報に含まれる語句一つひとつについて、単語辞書との照合を行い文書として日本語が正しく使用されているかどうかを判別し、日本語として誤りである語句、または誤りであることが判別できない語句を、一旦ひらがなに変換することによって、第１次文章を生成する。
【００５７】
図８は、単語辞書のフォーマットの一例を示す説明図である。単語辞書には、各単語について、その読みと表記文字列とが対応づけられて登録されている。図８に示す例では、各単語の情報をｗｏｒｄ［］［］［］という形式で登録している。なお、ｗｏｒｄ［］［］［］の最初の配列添字は、先頭文字（読み）を特定するための番号が割り当てられている。例えば、「あ」から始まる単語は、ｗｏｒｄ［１１］［］［］として登録される。また、「い」から始まる単語は、ｗｏｒｄ［１２］［］［］として登録される。また、「お」から始まる単語は、ｗｏｒｄ［１５］［］［］として登録される。また、「か」から始まる単語は、ｗｏｒｄ［２１］［］［］として登録される。また、「さ」から始まる単語は、ｗｏｒｄ［３１］［］［］として登録される。すなわち、図８に示す例では、最初の配列添字の番号の十の位が、５０音順における子音の順番に対応し、一の位が、母音の順番に対応している。なお、子音と母音とを分けずに、５０音順の各音に順番に番号を割り振って配列添字の番号としてもよい。
【００５８】
また、次の配列添字は、所定の文字（読み）から始まる単語について、その最初の表記文字を特定するための番号が割り当てられている。例えば、ｗｏｒｄ［１１］［１］［］には、最初の表記文字が「愛」である単語が登録される。また、ｗｏｒｄ［１１］［２］［］には、最初の表記文字が「藍」である単語が登録される。なお、最初の表記文字別に配列添字を用いず、よみの５０音順で並べて登録するようにしてもよい。
【００５９】
また、単語辞書には、誤用句として、発声される単語と表記される単語とで読みが異なるような単語について、発声単語のよみと表記文字列とを対応づけて登録するようにしてもよい。図８に示す例では、誤用句登録単語として、発声単語のよみ「とうり」と表記文字列「とおり」とを対応づけて登録する例が示されている。
【００６０】
また、単語辞書には、各単語のかかりや受けといった組み合わせ確率の高い単語や表現の情報を含んでいてもよい。
【００６１】
まず、認識結果補正手段２１０は、図７に示すように、音声認識装置１００によって出力された文章（文字列情報）を入力情報とするため、入力バッファにて情報をフェッチする（ステップＳ１０１）。フェッチ時に、当該文章をいくつかの単語に分解し、分解した単語ごとに以下の走査を行っていく。すなわち、認識結果補正手段２１０は、分解した単語の個数分、ステップＳ１０３〜Ｓ１０８の走査処理をループする（ステップＳ１０２）。以下、現在走査を行っている単語を単語Ｘという。
【００６２】
ループ内の走査処理として、認識結果補正手段２１０は、まず、単語Ｘの先頭文字が何であるかを識別する（ステップＳ１０３）。次に、識別された文字を元に、単語辞書との照合を行う（ステップＳ１０４）。例えば、「素手」という単語Ｘが走査されている場合には、ステップＳ１０３で先頭文字が「す」であると識別され、その「す」を元に単語辞書での照合を行えばよい。図８に示す例では、先頭文字「す」の登録単語である照合先として、ｗｏｒｄ［３３］［］［］の部分についてのみ走査をかければよい。
【００６３】
先頭文字が一致する単語が登録されている場合（ステップＳ１０５のＹｅｓ）、その先頭文字で始まる登録単語を順番に走査して次の処理を行う（ステップＳ１０６）。ここでは、認識結果補正手段２１０は、照合対象である単語Ｘと照合先となった登録単語とが一致するか否かを確認し（ステップＳ１０７）、一致しない場合には照合先を次の登録単語へ移行してステップＳ１０７に戻ることで同様の処理を繰り返す（ステップＳ１０８）。
【００６４】
一方、照合対象である単語Ｘと照合先となった登録単語とが一致する場合には、単語辞書にその登録単語の同音異義語が存在するか否かを判定する（ステップＳ１０９）。同音異義語が存在する場合、単語Ｘは日本語として曖昧性を含んでいるとみなし、単語Ｘをひらがな表記に変換する（ステップＳ１１０）。一方、同音異義語が存在しない場合には、そのまま登録単語での表記とする（ステップＳ１１１）。
【００６５】
認識結果補正手段２１０は、例えば、照合先となった配列群（ここでは、ｗｏｒｄ［３３］［］［］）の中に、単語Ｘと同一な単語が登録されている配列が存在するか否かを判別し、存在していた場合、それに加えて同じ読み方をする別の配列が存在するか否かを判別すればよい。図８に示す例では、単語Ｘが「素手」である場合に、ｗｏｒｄ［３３］［１］［０］として登録されている「素手」が単語Ｘと一致したと判別され、さらに、ｗｏｒｄ［３３］［２］［０］として登録されている「既」が単語Ｘの同音異義語であると判別される。このような場合には、認識結果の「素手」をひらがなの「すで」に入れ替える処理を行う。
【００６６】
また、ステップＳ１０４において、単語Ｘの先頭文字による照合で一致しなかった場合には（ステップＳ１０５のＮｏ）、そもそも正確な日本語ではないとみなし、単語Ｘが漢字表現であれば文章をよみにくくする原因となることを考慮し、ここでは、ひらがなでの表記に変換する（ステップＳ１１２）。なお、正確な日本語であっても、難しい漢字である場合には単語辞書には登録しないようにし、ひらがなでの表記に変換させるという方法も可能である。
【００６７】
また、ステップＳ１０６〜ステップＳ１０８の走査処理を繰り返す中で、照合先となった配列群（単語Ｘと先頭文字が一致する単語群）に、単語Ｘと一致するものが存在しないまま走査処理を終えた場合についても、単語Ｘが正確な日本語ではないとみなし、ひらがなでの表記に変換する（ステップＳ１１２）。
【００６８】
単語Ｘについて、上記一連の処理が終了すると、照合対象（単語Ｘ）を次の分解された単語に移し、ステップＳ１０３に戻ることで同様の処理を繰り返す（ステップＳ１１３）。
【００６９】
なお、ここでは、音声認識装置１００による音声認識結果である文章が漢字かな混じりの形式で表現されていることを基本としつつ、内部情報として、ひらがなのみの文章の情報を併せ持つことを前提としている。よってステップＳ１１０およびＳ１１２の処理において、当該漢字が、ひらがなのみの文章のどの部分に対応するかをパターン照合によって抽出することにより変換すればよい。なお、音声認識結果がひらがなの形式で表現されている場合には、ステップＳ１０７において、登録単語の読みとの照合を行うようにすればよい。
【００７０】
また、「とうり」のような慣用句については、「とうり」は正しくは「とおり」と表記することを単語辞書に事前に登録しておき、照合するようにすればよい。
【００７１】
本例では、本来「既に」、「とおり」、「防災」と表記される部分が、それぞれ「素手に」、「とうり」、「亡妻」と認識されており、日本語として意味が通りづらくなっている。認識結果補正手段２１０は、「素手に」という語句について、単語辞書によって「素手に」と「既に」の２通りに変換できることを確認して、その双方とも文脈を確認しない限り日本語として誤りであるか否かを判別することができない性質のものと認識し、ここでは、一旦「すでに」というひらがなに変換する。
【００７２】
また、「とうり」という語句は、一般的な語句として単語辞書に登録されていない語句として確認し、かつ単語辞書において「とおり」の表記誤りと認識することにより、ここでは、「とおり」に変換する。
【００７３】
また、「亡妻」については、次に続く語句が「訓練」であることを認識した上で、単語辞書との照合により、「防災」に変換される。最終的には、認識結果補正手段２１０によって「既に通知文などでご連絡のとおり、６月４日月曜日午前１０時５分から、２００７年度御社ビル防災訓練を実施いたします。」という文章に補正されることになる。なお、この段階では、「本社」を「御社」と認識されている点については補正されないでいる。
【００７４】
認識結果補正手段２１０による補正が完了すると、画面制御手段２５０が各文字入出力装置３００に、補正後の文章を第１次文章として表示させる。なお、図９に示すように、音声認識装置１００による音声認識結果を得た時点で、音声認識結果（第０次文章）をそのまま表示させ、補正後の文章を詳細モード（デフォルトモード）として即時表示させることも可能である。そのような場合には、文章加工手段２３０の詳細モードに対する加工処理は省略される。
【００７５】
なお、表示画面において、画面の上部、下部とも文章が長くなって表示領域からあふれた場合には、上へスクロールし、新しい文章が下の方から表示させることでより見やすくする。
【００７６】
ここで、読み手が、画面中央部に設けてあるモード一覧から「簡易モード」または「字幕モード」を選択したとする。その読み手が使用している読み手用端末としての文字入出力装置３００が、読み手からの画面操作に応じて、モード変更イベントをサーバ（データ処理装置２００）に通知する。データ処理装置２００では、モード設定手段２２０が、そのモード変更イベント通知によって、モードの設定が行われ、変更後のモードに即した文章がその文字入出力装置３００に表示されることになる。
【００７７】
文章加工手段２３０は、モード設定手段２２０によるモードの設定を受けて、設定されたモードの状態を認知し、そのモードに応じて加工された文章を出力すればよい。
【００７８】
なお、図１０は、字幕モードが設定された状態での文字入出力装置３００における画面表示の例を示す説明図である。また、図１１は、簡易モードが設定された状態での文字入出力装置３００における画面表示の一例を示す説明図である。
【００７９】
文章編集手段２４０は、文章加工手段２３０による加工文書の出力をトリガに動作を開始する。本例では、事前にＬＡＮ接続等によって読み手用端末とオペレータ用端末とサーバとが通信可能な状態になっているため、読み手用端末の画面に加工文章が出力されるたびに、オペレータ用端末にも同一の文章による加工文章が表示されるものとする。また、一連の処理が行われる文章を単位に送信し、送信が行われる度に送信カウンタを１つずつ増やしている構成とする。
【００８０】
文章編集手段２４０または画面制御手段２５０は、オペレータ用端末に対して、画面下部に表示される加工文章部分が編集可能に表示させる。以降、文章編集手段２４０は、図１２に示す処理フローに沿って編集処理を行う。
【００８１】
図１２は、文章編集手段２４０による編集処理の一例を示すフローチャートである。ここでは、オペレータが、オペレータ用端末の画面に表示される加工文章を見て、修正すべき箇所があると判断した場合に、当該部分をマウス等で範囲設定を行う。オペレータ用端末では、オペレータからの画面操作に応じて、範囲設定通知イベントをサーバ（データ処理装置２００）に通知する。例えば、範囲設定された領域の先頭位置（文字単位）と、長さ、当該加工文章の送信カウンタを含む範囲設定通知イベントをデータ処理装置２００に送信する。図１３は、オペレータ用端末における範囲設定操作にかかる画面イメージの例を示す説明図である。
【００８２】
データ処理装置２００では、文章編集手段２４０が、その範囲設定通知イベントを受け取る（ステップＳ２０１）。文章編集手段２４０は、範囲設定を受け付けた応答を、そのオペレータ用端末に返信し、その範囲内での正しい文章を入力させるための画面表示を該オペレータ用端末に行わせる（ステップＳ２０２）。
【００８３】
そして、オペレータ用端末では、オペレータからの設定範囲に対する正しい文章の入力を受け付け、受け付けた修正文章をサーバに送信する。図１４は、オペレータ用端末における修正文章入力操作にかかる画面イメージの例を示す説明図である。
【００８４】
図１４に示す例では、オペレータが、入力した文章に誤りがないことを確認し、キーボード上のＥｎｔｅｒキーを押下することにより、範囲指定箇所の修正文章がデータ処理装置２００に送信される。ここでは、「御社」と表記されている箇所を「本社」に修正する指示を行っている。
【００８５】
データ処理装置２００の文章編集手段２４０は、範囲指定箇所の修正文章を受信すると（ステップＳ２０３）、その修正文章を加工文章に反映させることにより、文章を編集する（ステップＳ２０４）。なお、文章編集手段２４０は、修正個所が他のモードでも表示されている文字を含んでいる場合には、他のモードにおける該当個所もあわせて編集する。そして、画面制御手段２５０に、編集後の文章に対応した画面更新をさせる（ステップＳ２０５）。
【００８６】
画面制御手段２５０は、例えば、文章編集手段２４０によって編集された修正個所に関する内容、当該範囲の始点位置、長さ、文章の送信カウンタを元に、更新をかける対象の加工文章を追跡し、その上で、各文字入出力装置３００に送信した文字単位の始点位置、長さ情報に該当する部分をシークする。ここでは、シールした位置から、オペレータによる修正内容を元と異なる色（例えば、赤色）で上書きする。
【００８７】
オペレータによる編集操作は、読み手用端末の画面上では一切見えない状態で行わせる。そうすることによって、読み手は現在表示されている文章をよむことのみに集中できる環境が形成される。そして、オペレータによる編集操作が確定した時点で、修正すべき部分を色分けした形式で更新表示させる。なお、図１４に示す例では、反転表示させる例を示しているが、この修正後の画面イメージは、画面制御手段２５０の画面更新処理により読み手用端末に対しても適用される。
【００８８】
また、読み手用端末の画面において、更新をかけた箇所がスクロールされて見えなくなっている場合には、修正文章の表示欄の右側に「※」マークを表示させるなど、更新された文章がある旨を読み手に知らせるようにしてもよい。
【００８９】
なお、本例において、オペレータは、音声認識装置１００に入力される元の音声を聴ける環境にいて、かつ音声のみでほぼ意味、背景、状況を理解可能な人を配置する。
【００９０】
また、例えば、簡易／字幕（要約）／詳細のそれぞれのモードに応じてオペレータを配置し、各モードでの編集作業を行わせてもよい。例えば、図１５に示すように、字幕モードを担当するオペレータでは、字幕としての文章の表現についても確認をするなどの実施方法が考えられる。図１５に示す例では、「実施いたします」となっている語尾の「いたします」を「します」に修正する指示を行っている。
【００９１】
以上のように、本実施形態によれば、音声認識が行われる際、マイクロフォンに音源以外の雑音が入りやすい環境等により、誤変換をおこないやすい場合であっても、その「ゆれ」を可能な限り文章編集支援等の処理を経て、より確度の高い文章として出力することができる。本発明では、支援のためのオペレータを介した必要最小限のヒューマンインタフェースのあり方も一つの構成として提案している。人手による支援を含むことにより、明らかに誤りとわかる文章の識別がしやすい構成となっているとともに、リアルタイム性を損なわないよう提示するための表示制御を行っている。結果、音声でしか情報を得られない環境であっても、すばやい状況判断がしやすくなり、特に、聴覚障害者にとっても自主的なコミュニケーションがとりやすい土壌が形成される。
【００９２】
例えば、音声でしか情報を得られない環境では、聴覚障害者にとっては、例えば今、どこで何が起こっているのか、今、誰が、何がおかしくて笑っているのか、また、今、誰が何に対して何の意見を述べているのかというようなことすらも把握できず、いちいち周りの人に状況を筆談等で説明してもらうようにアクションを起こさなければならないが、本発明を利用すれば、リアルタイム性を損なわずに、状況判断に必要な情報を得ることができる。
【００９３】
なお、コンピュータ処理だけで、精度よく誤りか否かを判断しようとすると、ある程度の長さの文章が必要になったり、処理時間がかかったりといった問題が生じるが、本実施形態では、あいまいなものについては一旦ひらがなに変換し、その上でオペレータによる修正指示を受け付けるようになっているため、より短いスパンで、認識性を低下させる可能性のある変換結果を排除した文章を出力することができる。
【００９４】
また、音声認識処理によって多量に出力される文字列情報から、曖昧さや冗長さ等を排除し、よりわかりやすい形で情報を提供することができる。発声された文章に対し、どのレベルで表示させるかを当事者の判断で設定することができるので、当事者の要請、スキル等に応じて、映画字幕のレベルに落とし込むか、またはもっと簡便に、箇条書きレベルまで落とし込むか等を決定できるため、当事者がストレスをためることなく、音声しか流れない環境であっても、ごく自然な形で情報を獲得する環境を形成することができる。
【産業上の利用可能性】
【００９５】
本発明は、音声認識結果として出力される文字列情報で示される文章に限らず、リアルタイムで更新される文章を対象にするシステムであれば、好適に適用可能である。
【図面の簡単な説明】
【００９６】
【図１】本発明による文章修正支援システムの構成例を示すブロックである。
【図２】本発明による文章修正支援システムの他の構成例を示すブロックである。
【図３】より具体的な文章修正支援システムの構成例を示すブロック図である。
【図４】文章修正支援システム１０００の動作例を示すフローチャートである。
【図５】文字入出力装置３００に表示させる画面の一例を示す説明図である。
【図６】文章修正支援システム１０００の実施イメージの一例を示す説明図である。
【図７】認識結果補正手段２１０の補正処理の一例を示すフローチャートである。
【図８】単語辞書のフォーマットの一例を示す説明図である。
【図９】文字入出力装置３００に表示させる画面の一例を示す説明図である。
【図１０】字幕モードが設定された状態での文字入出力装置３００における画面表示の例を示す説明図である。
【図１１】簡易モードが設定された状態での文字入出力装置３００における画面表示の一例を示す説明図である。
【図１２】文章編集手段２４０による編集処理の一例を示すフローチャートである。
【図１３】オペレータ用端末における範囲設定操作にかかる画面イメージの例を示す説明図である。
【図１４】オペレータ用端末における修正文章入力操作にかかる画面イメージの例を示す説明図である。
【図１５】オペレータ用端末における文章修正にかかる画面イメージの例を示す説明図である。
【符号の説明】
【００９７】
１  データ処理装置
１１  表記レベル補正手段
１２  補正文章表示手段
１３  修正指示受け付け手段
１４  画面更新手段
１５  文章加工手段
１６  加工文章表示手段
１７  モード設定手段
１００  音声認識装置
２００  データ処理装置
２１０  認識結果補正手段
２２０  モード設定手段
２３０  文章加工手段
２４０  文章編集手段
２５０  画面制御手段
３００  文字入出力装置
【図１】
2009187349.tif 000003
【図２】
2009187349.tif 000004
【図３】
2009187349.tif 000005
【図４】
2009187349.tif 000006
【図５】
2009187349.tif 000007
【図６】
2009187349.tif 000008
【図７】
2009187349.tif 000009
【図８】
2009187349.tif 000010
【図９】
2009187349.tif 000011
【図１０】
2009187349.tif 000012
【図１１】
2009187349.tif 000013
【図１２】
2009187349.tif 000014
【図１３】
2009187349.tif 000015
【図１４】
2009187349.tif 000016
【図１５】
2009187349.tif 000017